(57)【要約】【課題】クレーンの作業半径に無駄が生じるのを防ぎつつ、仕上工程に早期に着手できる建物の構築方法を提供すること。【解決手段】建物の構築方法は、ベース架台と、ベース架台の上に継ぎ足されて上方に延びるマストと、マストに昇降可能に設けられたクレーン本体と、を備えるマストクライミングクレーンを用いて、建物を構築する。建物の構築方法は、建物の内部となる位置にマストクライミングクレーンを設置するステップＳ１と、建物の躯体の構築に伴って、マストクライミングクレーンのマストを上方に延ばしてクレーン本体の高さ位置を上昇させるステップＳ２と、建物の最上階の構造体にクレーン本体を支持させるステップＳ３と、クレーン本体を用いてマストを撤去するステップＳ４と、を備える。【選択図】図１
2018150144.tif 000002
【特許請求の範囲】
【請求項１】
ベース架台と、当該ベース架台の上に継ぎ足されて上方に延びるマストと、当該マストに昇降可能に設けられたクレーン本体と、を備えるマストクライミングクレーンを用いて、建物を構築する方法であって、
前記建物の内部となる位置に前記マストクライミングクレーンを設置する工程と、
当該建物の躯体の構築に伴って、前記マストクライミングクレーンのマストを上方に延ばして前記クレーン本体の高さ位置を上昇させる工程と、
前記建物の最上階の構造体に前記クレーン本体を支持させる工程と、
当該クレーン本体を用いて前記マストを撤去する工程と、を備えることを特徴とする建物の構築方法。
【発明の詳細な説明】
【技術分野】
【０００１】
本発明は、タワークレーンを用いた建物の構築方法に関する。
【背景技術】
【０００２】
従来より、建物の構築に用いられるタワークレーンには、フロアクライミング方式とマストクライミング方式とがある（特許文献１参照）。
フロアクライミング方式では、クレーンを建物の躯体内部に設置し、このクレーンの土台であるベース架台を工事中の床や鉄骨に仮固定する。そして、建物の構築に伴って、クライミング作業により、ベース架台を上階に盛り替えてゆくことで、クレーンを上昇させる方式である。具体的には、クライミング時、クレーンの荷重を最上階の鉄骨梁で支持させ、この状態で、ベース架台を上昇させる。
【０００３】
例えば、特許文献１では、クライミングクレーンを、下端に基礎架台を設けたマストと、マストをせり上げる昇降装置と、クレーン本体とを含んで構成する。そして、鉄骨建方の最上階の床にクライミングの反力を受ける昇降装置を仮固定する工程と、昇降装置を駆動してマストおよびその上部のクレーン本体をせり上げてマストの下端の基礎架台を最上階の床までせり上げて固定する工程とを繰り返すことで、クライミングを行う。
【０００４】
特許文献２では、マストクライミング方式のタワークレーンを、建物の基礎階にボトムベースとその上階にクライミングベースを設置して立設する。そして、次階を構築した後、クライミングベースを次階に移設し、ボトムベースを上階に移設することを繰り返すことで、タワークレーンのクライミングを行う。
【０００５】
鉄骨造の高層建物を構築する場合には、このフロアクライミング方式が採用されることが多い。しかし、鉄筋コンクリート造の高層建物を構築する場合、コンクリートを打設した直後では、コンクリートの強度がまだ発現していないため、フロアクライミング方式を採用することは困難である。
このため、鉄筋コンクリート造の高層建物を構築する場合には、以下のマストクライミング方式を採用することが多い。
【０００６】
マストクライミング方式は、建物外部にマストを設置し、建物の構築に伴って、マストの頂部にマストを継ぎ足してゆくことで、クレーン本体を上昇させる方式である。
【先行技術文献】
【特許文献】
【０００７】
【特許文献１】特開２０００−３２７２６５号公報
【特許文献２】特開２０００−２４８６３２号公報
【発明の概要】
【発明が解決しようとする課題】
【０００８】
しかしながら、マストを建物外部に設置すると、クレーンの作業半径に無駄が生じる。よって、クレーンの大型化を招くほか、水平ステーが複数段必要となるため、コスト増の要因となる。
そこで、クレーンを建物内部に設けることが考えられるが、この場合、マストが鉄筋コンクリート造の床スラブを貫通しているため、マストが貫通するダメ開口が最後まで残ってしまい、仕上工程が遅れる、という問題があった。
【０００９】
本発明は、クレーンの作業半径に無駄が生じるのを防ぎつつ、仕上工程に早期に着手できる建物の構築方法を提供することを目的とする。
【課題を解決するための手段】
【００１０】
請求項１に記載の建物の構築方法は、ベース架台（例えば、後述のベース架台１１）、当該ベース架台の上に継ぎ足されて上方に延びるマスト（例えば、後述のマスト１３）と、当該マストに昇降可能に設けられたクレーン本体（例えば、後述のクレーン本体１４）と、を備えるマストクライミングクレーン（例えば、後述のマストクライミングクレーン１０）を用いて、建物（例えば、後述の建物１）を構築する方法であって、前記建物の内部となる位置に前記マストクライミングクレーンを設置する工程（例えば、後述のステップＳ１）と、当該建物の躯体の構築に伴って、前記マストクライミングクレーンのマストを上方に延ばして前記クレーン本体の高さ位置を上昇させる工程（例えば、後述のステップＳ２）と、前記建物の最上階の構造体（例えば、後述のペントハウスの鉄骨大梁４）に前記クレーン本体を支持させる工程（例えば、後述のステップＳ３）と、当該クレーン本体を用いて前記マストを撤去する工程（例えば、後述のステップＳ４）と、を備えることを特徴とする。
【００１１】
この発明によれば、建物の内部にマストクライミングクレーンを設置し、このマストクライミングクレーンを使用して、建物の躯体を構築する。その後、このマストクライミングクレーンのクレーン本体をマストから建物の最上階の構造体に盛り替えて、このクレーン本体によりマストを撤去する。
よって、マストが貫通するダメ開口を早期に塞ぐことができ、仕上工程に早期に着手できる。
また、建物内部にマストを設置するので、クレーン本体の回転中心が建物内に位置し、クレーンの作業半径に無駄が生じるのを防止でき、コストが増大するのを抑制できる。
【発明の効果】
【００１２】
本発明によれば、クレーンの作業半径に無駄が生じるのを防ぎつつ、仕上工程に早期に着手できる。
【図面の簡単な説明】
【００１３】
【図１】本発明の一実施形態に係る建物の構築方法のフローチャートである。
【図２】建物の構築方法を説明するための図（その１、構築中の建物の骨組みを示す縦断面図）である。
【図３】建物の構築方法を説明するための図（その２、構築中の建物の骨組みを示す縦断面図）である。
【図４】建物の構築方法を説明するための図（その３、構築中の建物の骨組みを示す平面図）である。
【図５】マストクライミングクレーンのクレーン本体を支持する仮設ベース架台の平面図である。
【図６】図５のＡ−Ａ断面図である。
【図７】建物の構築方法を説明するための図（その４、構築中の建物の骨組みを示す縦断面図）である。
【発明を実施するための形態】
【００１４】
以下、本発明の一実施形態について、図面を参照しながら説明する。
本発明の建物の構築方法は、建物１を構築するものである（図７（ｂ）参照）。
建物１は、狭隘な敷地に構築された鉄骨造であり、８階建ての鉄骨造の建物本体２と、この建物本体２の屋上に構築された屋上工作物である２階建ての鉄骨造のペントハウス３と、を備える。
【００１５】
以下、建物１の構築方法について、図１のフローチャートを参照しながら説明する。
ステップＳ１では、図２（ａ）に示すように、建物１の内部にマストクライミングクレーン１０を設置する。
マストクライミングクレーン１０は、建物本体２の最下層である地下１階に設置されたベース架台１１と、ベース架台１１の上にマスト部材１２が複数本継ぎ足されて上方に延びるマスト１３と、マスト１３に昇降可能に設けられたクレーン本体１４と、を備える。
【００１６】
ステップＳ２では、図２（ｂ）に示すように、マストクライミングクレーン１０を用いて、建物１の躯体を構築する。
具体的には、建物本体２およびペントハウス３の鉄骨建方を行うととともに、床スラブを構築する。このとき、建物１の躯体の構築に伴って、マスト１３の頂部にマスト部材１２を継ぎ足して、各階に壁繋ぎをとりながらマスト１３を上方に延ばすとともに、クレーン本体１４をマスト１３に沿って上昇させてゆく。また、各階の床スラブには、マスト１３が貫通するダメ開口（図示せず）を形成する。
【００１７】
ステップＳ３では、図３に示すように、建物１の最上階の躯体にクレーン本体１４を支持させる。
具体的には、ペントハウス３の最上階の鉄骨大梁４に仮設ベース架台２０を設ける。次に、クレーン本体１４を逆クライミングすなわち下降させて、この仮設ベース架台２０の上に載せて仮固定する。これにより、クレーン本体１４を仮設ベース架台２０に支持させる。
【００１８】
仮設ベース架台２０は、図４〜図６に示すように、ペントハウス３の鉄骨大梁４同士の間に架設された一対の第１仮設鉄骨梁２１と、この第１仮設鉄骨梁２１同士の間に架設された一対の第２仮設鉄骨梁２２と、この第２仮設鉄骨梁２２同士の間に架設された一対の第３仮設鉄骨梁２３と、を備える。
一対の第２仮設鉄骨梁２２は、マスト１３を挟んで互いに略平行に配置される。一対の第３仮設鉄骨梁２３は、第２仮設鉄骨梁２２に略直交して延びてマスト１３を挟んで互いに略平行に配置される。
【００１９】
ステップＳ４では、図７（ａ）に示すように、クレーン本体１４により、マスト１３を構成するマスト部材１２を、上から順に上方に引き抜いて撤去する。これにより、図７（ｂ）に示す状態となる。
ステップＳ５では、クレーン本体１４を用いて各種資材の揚重を行うとともに、各階の床スラブについて、マスト１３が貫通していたダメ開口を塞ぐ。
【００２０】
本実施形態によれば、以下のような効果がある。
（１）建物１の内部にマストクライミングクレーン１０を設置し、このマストクライミングクレーン１０を使用して、建物１の躯体を構築する。その後、このマストクライミングクレーン１０のクレーン本体１４をマスト１３からペントハウス３の最上階の鉄骨大梁４に盛り替えて、このクレーン本体１４によりマスト１３を撤去する。
よって、マスト１３が貫通するダメ開口を早期に塞ぐことができ、仕上工程に早期に着手できる。
また、建物１の内部にマスト１３を設置するので、クレーン本体１４の回転中心が建物内部に位置し、クレーン１０の作業半径に無駄が生じるのを防止でき、コストが増大するのを抑制できる。
【００２１】
なお、本発明は前記実施形態に限定されるものではなく、本発明の目的を達成できる範囲での変形、改良等は本発明に含まれるものである。
【符号の説明】
【００２２】
１…建物  ２…建物本体  ３…ペントハウス  ４…鉄骨大梁
１０…マストクライミングクレーン
１１…ベース架台  １２…マスト部材  １３…マスト  １４…クレーン本体
２０…仮設ベース架台  ２１…第１仮設鉄骨梁  ２２…第２仮設鉄骨梁
２３…第３仮設鉄骨梁
【図１】
2018150144.tif 000003
【図２】
2018150144.tif 000004
【図３】
2018150144.tif 000005
【図４】
2018150144.tif 000006
【図５】
2018150144.tif 000007
【図６】
2018150144.tif 000008
【図７】
2018150144.tif 000009